(57)【特許請求の範囲】
【請求項１】
イメージを表示する表示部材と、
前記表示部材の上側に配置されたウインドー部材と、を含み、
前記ウインドー部材は、
ベース部材と、
前記ベース部材の下面上に配置され、一部分が前記表示部材に重畳するカラー層と、を含み、
前記表示部材に重畳する前記カラー層の前記一部分は前記表示部材から前記イメージの一部を受信し、前記受信された一部イメージを透過させることを特徴とする表示装置。
【請求項２】
前記透過された一部イメージの輝度は前記受信された一部イメージの輝度より低いことを特徴とする請求項１に記載の表示装置。
【請求項３】
前記カラー層は、
前記ベース部材の枠領域に重畳する第１部分と、
前記第１部分の一辺及び前記第１部分の前記一辺に対向する他辺を連結し、前記表示部材に重畳する第２部分と、を含むことを特徴とする請求項１又は２に記載の表示装置。
【請求項４】
前記第２部分は、
前記受信されたイメージの輝度を減少させる複数個の光遮断粒子と、
前記受信されたイメージを透過させる複数個の光透過粒子と、を含むことを特徴とする請求項３に記載の表示装置。
【請求項５】
前記複数個の光遮断粒子はブラックカラーを有し、
前記複数個の光透過粒子は透明であることを特徴とする請求項４に記載の表示装置。
【請求項６】
前記第１部分は前記ウインドー部材に向かって入射されるイメージ及び外部の光を遮断する染料又は顔料を含むことを特徴とする請求項３から５の何れか一項に記載の表示装置。
【請求項７】
前記第１部分は前記第２部分と同一な物質で構成されたことを特徴とする請求項３から６の何れか一項に記載の表示装置。
【請求項８】
前記ウインドー部材と結合し、前記表示部材を収容する収納部材をさらに含むことを特徴とする請求項１から７の何れか一項に記載の表示装置。
【請求項９】
前記表示部材は、
前記イメージを表示する表示パネルと、
前記表示パネルと前記ウインドー部材との間に配置され、外部入力の座標情報を獲得するタッチパネルを含むことを特徴とする請求項１から８の何れか一項に記載の表示装置。
【請求項１０】
前記タッチパネルは前記表示パネルの一面に直接形成されたことを特徴とする請求項９に記載の表示装置。
【請求項１１】
前記ウインドー部材と前記タッチパネルとを結合する光硬化性接着層をさらに含むことを特徴とする請求項９に記載の表示装置。
【請求項１２】
イメージを表示する表示部材と、
前記表示部材の上側に配置されたウインドー部材と、を含み、
前記ウインドー部材は、
ベース部材と、
前記ベース部材の下面上に配置され、前記ベース部材の枠領域に重畳する遮光層と、
前記遮光層の一辺及び前記遮光層の一辺に対向する他辺に両終端が各々連結され、前記表示部材に重畳する半透過層と、を含み
前記半透過層は前記表示部材から前記イメージの一部を受信し、前記受信された一部イメージを透過させることを特徴とする表示装置。
【請求項１３】
前記透過された一部のイメージの輝度は前記受信された一部のイメージの輝度より低いことを特徴とする請求項１２に記載の表示装置。
【請求項１４】
前記半透過層は、
前記受信されたイメージの輝度を減少させる複数個の光遮断粒子と、
前記受信されたイメージを透過させる複数個の光透過粒子と、を含むことを特徴とする請求項１３に記載の表示装置。
【請求項１５】
前記遮光層は前記イメージを遮断し、前記ウインドー部材に向かって入射した外部の光を遮断する染料又は顔料を含むことを特徴とする請求項１２から１４の何れか一項に記載の表示装置。
【請求項１６】
ベース部材の一面上にカラー層が具備されたウインドー部材を提供する段階と、
タッチパネルが具備された表示パネルを提供する段階と、
光硬化性接着層が前記カラー層と前記タッチパネルとの間に配置されるように前記ベース部材と前記表示パネルとを結合させる段階と、
前記ベース部材上側から光を照射して前記光硬化性接着層を硬化させる段階と、を含み、
前記カラー層の一部分は前記表示パネルに重畳し、前記カラー層の前記一部分は前記光の一部を透過させることを特徴とする表示装置の製造方法。
【請求項１７】
前記カラー層は、
前記ベース部材の枠領域に重畳する第１部分と、
前記第１部分の一辺と前記第１部分の前記一辺に対向する他辺を連結し、前記表示パネルに重畳する第２部分と、を含むことを特徴とする請求項１６に記載の表示装置の製造方法。
【請求項１８】
前記第２部分は、
前記光の一部を遮断する複数個の光遮断粒子と、
前記光の一部を透過させる複数個の光透過粒子と、を含むことを特徴とする請求項１７に記載の表示装置の製造方法。
【請求項１９】
前記第１部分は前記第２部分と同一な物質で構成されたことを特徴とする請求項１７又は１８に記載の表示装置の製造方法。
【請求項２０】
前記表示パネルを収納する収納部材と前記ウインドー部材とを結合する段階をさらに含む請求項１６から１９の何れか一項に記載の表示装置の製造方法。
【発明の詳細な説明】
【技術分野】
【０００１】
本発明は表示装置及びその製造方法に関する。
【背景技術】
【０００２】
テレビジョン、携帯電話、ナビゲーション、コンピューターモニター、ゲーム機等のようなマルチメディア装置に使用される多様な表示装置が開発されている。
【０００３】
上記表示装置はボリューム調節、メニュー選択等様々な機能を実行するために複数個の入力ボタンを具備する。上記入力ボタンは独立的に上記表示装置に各々装着される。上記表示装置は上記入力ボタンの中の選択された入力ボタンに対応する機能を遂行する。
【０００４】
最近、上記表示装置の中の一部は上記入力ボタンを単純化するためにタッチパネルを装着した。上記タッチパネルを装着した表示装置は上記入力ボタンに対応する入力アイコンを具備する。例えば、上記入力アイコンは上記タッチパネルを装着した表示装置のウインドー部材にタッチが可能するように印刷される。
【０００５】
使用者によって上記入力アイコンの中の１つが選択されれば、上記タッチパネルは上記選択された入力アイコンの座標情報を獲得する。上記タッチパネルを装着した表示装置は上記座標情報に基づいて上記選択されたアイコンに対応する機能を遂行する。即ち、上記表示装置は上記選択された入力アイコンに対応するイメージを表示する。
【０００６】
従来の表示装置は表示装置の動作の可否に関係なく、上記入力アイコンが使用者に認知される。例えば、表示装置がオフにされている場合にも使用者は上記入力アイコンを認知することがあった。
【先行技術文献】
【特許文献】
【０００７】
【特許文献１】韓国公開特許第１０−２０１１−０００３５８３号公報
【発明の概要】
【発明が解決しようとする課題】
【０００８】
本発明の目的は特定のモードでのみ入力アイコンが使用者に認知される表示装置を提供することにある。
【０００９】
本発明の他の目的は不良率が減少された表示装置の製造方法を提供することにある。
【課題を解決するための手段】
【００１０】
本発明の一実施形態による表示装置はイメージを表示する表示部材及び前記表示部材の上側に配置されたウインドー部材を含む。
【００１１】
前記ウインドー部材はベース部材及び前記ベース部材の下面上に配置され、少なくとも一部分が前記表示部材に重畳するカラー層を含む。前記表示部材に重畳する前記カラー層の一部分は前記表示部材から前記イメージの一部を受信し、前記受信された一部のイメージを透過させる。
【００１２】
前記カラー層の一部分を透過した前記一部のイメージの輝度は前記カラー層の一部分に入射された前記一部のイメージの輝度より低い。
【００１３】
前記カラー層は、前記ベース部材の枠領域に重畳する第１部分及び前記第１部分の一辺及び前記第１部分の一辺に対向する他辺を連結し、前記表示部材に重畳する第２部分を包含することができる。
【００１４】
前記第２部分は、前記受信されたイメージの輝度を減少させる複数個の光遮断粒子及び前記受信されたイメージを透過させる複数個の光透過粒子を含む。前記複数個の光遮断粒子はブラックカラーを有し、前記複数個の光透過粒子は透明することができる。
【００１５】
前記第１部分は前記第２部分と同一な物質で構成され得る。
【００１６】
前記表示部材は、前記イメージを表示する表示パネル、前記表示パネルと前記ウインドー部材との間に配置され、外部入力の座標情報を獲得するタッチパネルを含む。前記タッチパネルは前記表示パネルの一面に直接形成され得る。
【００１７】
前記ウインドー部材と前記タッチパネルとを結合する光硬化性接着層をさらに含む。
【００１８】
本発明の一実施形態による表示装置の製造方法はベース部材の一面上にカラー層が具備されたウインドー部材を提供する段階、タッチパネルが具備された表示パネルを提供する段階、光硬化性接着層が前記カラー層と前記タッチパネルとの間に配置されるように前記ベース部材と前記表示パネルとを結合させる段階、及び前記ベース部材上側から光を照射して前記光硬化性接着層を硬化させる段階を含む。
【００１９】
前記カラー層の少なくとも一部分は前記表示パネルに重畳し、前記カラー層の前記少なくとも一部分は前記光の一部を透過させる。
【００２０】
また、前記表示パネルを収納する収納部材と前記ウインドー部材とを結合する段階をさらに包含できる。
【発明の効果】
【００２１】
本発明の一実施形態による表示装置は入力アイコンを表示する領域を具備する。前記表示装置の特定の動作モードで前記入力アイコンを表示する。前記入力アイコンを表示する領域はベース部材上に配置されたカラー層によって定義される。前記入力アイコンを表示する領域は前記カラー層の一部分に対応する。前記特定の動作モードで前記表示装置が動作する時に生成された前記入力アイコンは前記表示パネルに重畳する前記カラー層の一部分を透過して使用者に提供される。
【００２２】
本発明の一実施形態による表示装置の製造方法は前記ウインドー部材と前記表示パネルとを結合した後、前記ウインドー部材の上側から前記光を照射して前記光硬化性接着層を硬化させる。前記カラー層へ入射された光の内の一部は前記カラー層を通過する。即ち、前記カラー層に重畳する領域の前記光硬化性接着層は前記光の内の一部を受信できる。それにしたがって前記光硬化性接着層の硬化が均一になされる。
【図面の簡単な説明】
【００２３】
【図１】本発明の一実施形態による表示装置の斜視図である。
【図２】図１に図示された表示装置の分解斜視図である。
【図３】図１に図示された表示装置のＩ−Ｉ’に沿って切断した断面図である。
【図４】図１に図示された表示装置のブロック図である。
【図５Ａ】図１に図示された表示装置が第１モードで動作する時に現れる平面図である。
【図５Ｂ】図１に図示された表示装置が第２モードで動作する時に現れる平面図である。
【図６Ａ】図５ＡのＩＩ−ＩＩ’に沿って切断した断面図である。
【図６Ｂ】図５ＢのＩＩＩ−ＩＩＩ’に沿って切断した断面図である。
【図７】図６ＢのＡＡ領域を拡大して示した断面図である。
【図８Ａ】本発明の他の実施形態による表示装置が第１モードで動作する時に現れる平面図である。
【図８Ｂ】本発明の他の実施形態による表示装置が第２モードで動作する時に現れる平面図である。
【図９Ａ】本発明の一実施形態による表示装置の製造方法を示した断面図である。
【図９Ｂ】本発明の一実施形態による表示装置の製造方法を示した断面図である。
【図９Ｃ】本発明の一実施形態による表示装置の製造方法を示した断面図である。
【図９Ｄ】本発明の一実施形態による表示装置の製造方法を示した断面図である。
【図９Ｅ】本発明の一実施形態による表示装置の製造方法を示した断面図である。
【発明を実施するための形態】
【００２４】
本発明は多様な変更を加えることができ、様々な形態を有することができるので、特定の実施形態を図面に例示し、本文で詳細に説明する。しかし、これは本発明を特定の開示形態に対して限定しようとするものでなく、本発明の思想及び技術範囲に含まれる全て変更、均等物乃至代替物を含むこととして理解しなければならない。
【００２５】
以下、添付した図面を参照して本発明の望ましい実施形態をより詳細に説明する。
【００２６】
図１は本発明の一実施形態による表示装置の斜視図である。図２は図１に図示された表示装置の分解斜視図である。図３は図１に図示された表示装置のＩ−Ｉ’に沿って切断した断面図である。図１乃至図３で携帯電話が例示的に図示されているが、本発明による表示装置はこれに限定されなく、テレビジョン、ナビゲーション、コンピューターモニター、ゲーム機等多様な情報提供装置に変形されて実施できる。
【００２７】
図１に示したように、上記表示装置は互いに異なるイメージを表示する複数個の領域を含む。上記表示装置は第１表示領域ＤＡ１、第２表示領域ＤＡ２、及び上記第１表示領域ＤＡ１と第２表示領域ＤＡ２との間に配置されたアイコン領域ＤＡＩＣＯＮを含む。
【００２８】
上記第１表示領域ＤＡ１はメインイメージＩＭを表示する。例えば、上記メインイメージＩＭはゲーム、写真、動画、及び／又は動画等であり得る。上記第２表示領域ＤＡ２は補助イメージＩＳを表示する。例えば、上記補助イメージＩＳは時間、放送信号感度情報、無線通信信号感度情報、残余電源量情報等を表示することができる。
【００２９】
上記第１表示領域ＤＡ１と上記第２表示領域ＤＡ２の面積は互いに異なり得る。図１に示したように、上記第１表示領域ＤＡ１は上記第２表示領域ＤＡ２より大きい面積を有することができる。
【００３０】
上記アイコン領域ＤＡＩＣＯＮは特定の機能を指示する入力アイコンイメージＩＩＣＯＮを表示する。ここで、上記入力アイコンイメージＩＩＣＯＮは検索機能を指示する老眼鏡イメージ、メニュー機能を指示する溝イメージ、通話機能を指示する受話器イメージ等を包含することができる。その他に上記入力アイコンイメージＩＩＣＯＮは文字イメージ等を包含することができる。
【００３１】
上記第１表示領域ＤＡ１、上記第２表示領域ＤＡ２、及び上記アイコン領域ＤＡＩＣＯＮはイメージが表示されない非表示領域ＮＤＡによって囲まれる。言い換えれば、上記非表示領域ＮＤＡは平面上で上記表示装置の枠をなす。
【００３２】
一方、本発明は複数個の表示領域を具備する表示装置に制限されない。即ち、本発明の表示装置は少なくとも１つの表示領域と上記アイコン領域を具備すれば、十分である。例えば、図１に図示された上記第２表示領域ＤＡ２は省略され得る。
【００３３】
図２及び図３に示したように、本発明の一実施形態による表示装置は表示部材１００、上記表示部材１００を収納する収納部材２００、上記表示部材１００上に配置されたウインドー部材３００を含む。
【００３４】
上記表示部材１００は映像を生成する表示パネル１１０と外部入力の座標情報を算出するタッチパネル１２０を含む。ここで、上記外部入力はスタイラスペン、使用者の指等による入力を意味する。実質的に上記外部入力は上記ウインドー部材３００上で発生する。
【００３５】
上記表示パネル１１０は特別に限定されることではなく、例えば、有機発光表示パネル（ｏｒｇａｎｉｃ  ｌｉｇｈｔ  ｅｍｉｔｔｉｎｇ  ｄｉｓｐｌａｙ  ｐａｎｅｌ）、液晶表示パネル（ｌｉｑｕｉｄ  ｃｒｙｓｔａｌ  ｄｉｓｐｌａｙ  ｐａｎｅｌ）、プラズマ表示装置（ｐｌａｓｍａ  ｄｉｓｐｌａｙ  ｐａｎｅｌ）、電気泳動表示パネル（ｅｌｅｃｔｒｏｐｈｏｒｅｔｉｃ  ｄｉｓｐｌａｙ  ｐａｎｅｌ）、及びエレクトロ・ウェッティング表示パネル（ｅｌｅｃｔｒｏｗｅｔｔｉｎｇ  ｄｉｓｐｌａｙ  ｐａｎｅｌ）等が適用され得る。
【００３６】
上記タッチパネル１２０は抵抗式タッチパネル又は静電容量式タッチパネル等が採用できる。
【００３７】
上記抵抗式タッチパネルは互いに離隔されて配置された２つの抵抗膜を具備するアナログ抵抗式タッチパネル又は第１抵抗パターン及び上記第１抵抗パターンと互いに離隔されて配置された第２抵抗パターンを具備するデジタル抵抗式タッチパネルが採用できる。上記抵抗式タッチパネルは上記２つの抵抗膜が外圧によって接触するか、或いは上記第１抵抗パターンと上記第２抵抗パターンとが外圧によって接触する時、出力される電圧を検出して接触された地点の座標情報を算出する。
【００３８】
上記静電容量式タッチパネルは第１センシングパターン及び上記第１センシングパターンと絶縁され、交差されるように配置された第２センシングパターンを具備する。入力手段が上記静電容量式タッチパネルに接触する時、上記第１センシングパターン及び上記第２センシングパターンに発生する静電容量の変化を検出し、上記静電容量の変化に基づいて接触された地点の座標情報を算出する。
【００３９】
上記タッチパネル１２０は上記表示パネル１１０に直接形成され得る。例えば、上記抵抗膜の中の１つ、上記第１抵抗パターン、又は上記第１センシングパターンが上記表示パネル１１０の一面上に直接配置され得る。
【００４０】
また、本発明の他の実施形態で別の工程で完成された上記タッチパネル１２０が上記表示パネル１１０に結合されることもあり得る。この時、上記表示パネル１１０の基板（図示せず）と上記タッチパネル１２０の基板（図示せず）が接着層（図示せず）によって結合される。
【００４１】
また、本発明のその他の実施形態で上記表示部材１００は上記タッチパネル１２０を包含しないこともあり得る。
【００４２】
上記収納部材２００は上記表示部材１００を収納する。図２及び図３は１つの部材に構成された収納部材を例示的に図示している。しかし、上記収納部材２００は互いに結合される２つ以上の部材を包含することができる。
【００４３】
上記収納部材２００は上記表示部材１００以外に複数個の能動素子（図示せず）及び／又は複数個の受動素子（図示せず）が実装された回路基板２００−Ｐをさらに収納する。また、表示装置の種類にしたがってバッテリーのような電源供給部２００−Ｂをさらに収納することができる。
【００４４】
上記ウインドー部材３００は上記表示部材１００上に配置され、上記収納部材２００と結合されて表示装置の外面を構成する。
【００４５】
上記ウインドー部材３００はベース部材３１０及び上記ベース部材３１０の下面上に配置され、少なくとも一部分が上記表示部材１００に重畳するカラー層３２０を含む。
【００４６】
上記ベース部材３１０は透明な部材に例えば、ガラスが採用でき、通常のガラスより硬度が高い強化ガラスが採用できる。また、上記ベース部材３１０はプラスチックが採用でき、プラスチックの中のでもポリカーボネートのような透明な強化プラスチックが採用できる。
【００４７】
上記表示部材１００に重畳する上記カラー層３２０の一部分は上記表示部材１００からイメージの一部を受信し、上記受信された一部のイメージを透過させる。例えば、上記カラー層３２０の一部分は上記表示部材１００から上記入力アイコンイメージ（ＩＩＣＯＮ：図１参照）を受信する。
【００４８】
上記カラー層３２０は第１部分３２０−Ｅと第２部分３２０−Ｓとに区分され得る。上記受信された一部のイメージを透過させる上記カラー層３２０の一部分は第２部分３２０−Ｓである。
【００４９】
上記第１部分３２０−Ｅは上記ベース部材３１０の枠領域に重畳する。上記第１部分３２０−Ｅは内側に透過領域が具備された閉ライン形状を有することができる。上記第１部分３２０−Ｅ自体は遮光領域（図１に図示された表示装置の非表示領域ＮＤＡに対応する領域）をなす。
【００５０】
上記第２部分３２０−Ｓは上記表示部材１００に重畳する。上記第２部分３２０−Ｓは上記第１部分３２０−Ｅの一辺と上記第１部分３２０−Ｅの一辺に対向する他辺とを連結することができる。それにしたがって、上記第２部分３２０−Ｓは上記第１部分３２０−Ｅによって形成された透過領域を２つのサブ透過領域に分割する。上記第２部分３２０−Ｓ自体は半透過領域をなす。機能的側面で上記第１部分３２０−Ｅは遮光層として定義され、上記第２部分３２０−Ｓは半透過層として定義され得る。
【００５１】
実質的に、図１で説明した上記第１表示領域ＤＡ１及び上記第２表示領域ＤＡ２は上記第２部分３２０−Ｓによって分割された２つのサブ透過領域に対応する。また上記アイコン領域ＤＡＩＣＯＮは上記第２部分３２０−Ｓが形成された領域に対応する。
【００５２】
図３に示したように、上記表示装置は上記ウインドー部材３００と上記表示部材１００とを結合する光硬化性接着層ＡＬを包含することができる。具体的に上記タッチパネル１２０の一面と上記ベース部材３１０の下面との間に上記光硬化性接着層ＡＬが配置される。上記光硬化性接着層ＡＬは上記カラー層３２０を介して上記ベース部材３１０の下面に付着され、上記タッチパネル１２０の一面に付着される。
【００５３】
図４は図１乃至図３に図示された表示装置のブロック図である。以下、図４を参照して本発明の一実施形態による表示装置の動作を説明する。
【００５４】
本発明の一実施形態による表示装置は上述した表示パネル１１０、タッチパネル１２０、及び電源供給部２００−Ｂ以外に上記表示装置の機能を遂行するための構成要素をさらに含む。後述する構成要素は上記回路基板２００−Ｐに実装される上記能動素子、又は受動素子に構成され得る。
【００５５】
例えば、本実施形態による表示装置は制御部１０、無線通信モジュール２０、映像入力部３０、音響入力部４０、メモリ５０、音響出力部６０、外部インターフェイス７０、及び放送受信モジュール８０等をさらに包含できる。
【００５６】
上記制御部１０は携帯電話の全般的な動作を制御する。例えば音声通話、データ通信、画像通話等のための関連された制御及び処理を遂行する。また、制御部１０は通常の機能以外に上記タッチパネル１２０の動作を制御することもあり得る。即ち、上記制御部１０は上記タッチパネル１２０から受信された座標情報に基づいて上記表示パネル１１０、上記映像入力部３０、上記メモリ５０、上記音響出力部６０等を制御する。
【００５７】
上記無線通信モジュール２０はアンテナを通じて移動通信基地局と無線信号を送受信する。例えば、上記無線通信モジュール２０は上記制御部１０の制御の下に音声データ、文字データ、映像データ、及び制御データを送受信する。このために上記無線通信モジュール２０は送信する信号を変調して送信する送信部２４と、受信される信号を復調する受信部２２を含む。
【００５８】
上記映像入力部３０は映像信号を処理して表示パネル１１０に表示可能である映像データに変換する。上記音響入力部４０は通話モード又は録音モード、音声認識モード等でマイクロフォン（Ｍｉｃｒｏｐｈｏｎｅ）によって外部の音響信号を受信して電気的な音声データに変換する。
【００５９】
上記音響入力部４０は外部の音響信号を受信する過程で発生される雑音（ｎｏｉｓｅ）を除去するための多様な雑音除去アルゴリズムが具現され得る。
【００６０】
上記音響出力部６０は上記無線通信モジュール２０から受信された音響データ又は上記メモリ５０に格納された音響データを変換して外部へ出力する。
【００６１】
上記外部インターフェイス７０は携帯端末機以外の有／無線ヘッドセット、外部充電器、有／無線データポート、カードソケット（例えば、メモリカード（Ｍｅｍｏｒｙ  ｃａｒｄ）、ＳＩＭ／ＵＩＭ  ｃａｒｄ）等を携帯端末機に連結される全て外部機器とのインターフェイスの役割を果たす。
【００６２】
上記放送受信モジュール８０は衛星又は地上波等を通じて伝送された放送信号を受信し、上記受信された放送信号を上記音響出力部６０、上記表示パネル１１０へ出力可能である放送データ形態に変換する。
【００６３】
図５Ａ及び図５Ｂは互いに異なるモードで動作する表示装置の平面図である。
【００６４】
図５Ａに示したように、上記第２部分３２０−Ｓを通じて上記入力アイコンイメージＩＩＣＯＮが表示されない動作モードは第１モードとして定義され、図５Ｂに示したように、上記第２部分３２０−Ｓを通じて上記入力アイコンイメージＩＩＣＯＮが表示される動作モードは第２モードとして定義される。
【００６５】
上記表示装置の動作が開始されれば、上記制御部（１０：図４参照）の制御にしたがって、上記表示パネル（１１０：図４参照）はイメージを表示する。上記イメージは上記メインイメージＩＭ、上記補助イメージＩＳ、上記入力アイコンイメージＩＩＣＯＮの中の１つ以上を包含することができる。
【００６６】
上記第１モードで上記表示パネル１１０は上記入力アイコンイメージＩＩＣＯＮを生成しない。上記第１モードで上記表示パネル１１０は上記表示装置の第１表示領域ＤＡ１に対応して上記メインイメージＩＭを生成し、上記表示装置の第２表示領域ＤＡ２に対応して上記補助イメージＩＳを生成する。
【００６７】
上記第２モードの上記表示パネル１１０は上記メインイメージＩＭ、上記補助イメージＩＳと上記入力アイコンイメージＩＩＣＯＮを生成する。上記カラー層３２０の上記第２部分３２０−Ｓに重畳した上記表示パネル１１０の一部分（表示装置でアイコン領域ＤＡＩＣＯＮ）で生成された上記入力アイコンイメージＩＩＣＯＮは上記第２部分３２０−Ｓを透過して外部に表示される。
【００６８】
一方、上記第１モードと第２モードで上記メインイメージＩＭと上記補助イメージＩＳは表示されないこともあり得る。
【００６９】
図６Ａは図５ＡのＩＩ−ＩＩ’に沿って切断した断面図であり、図６Ｂは図５ＢのＩＩＩ−ＩＩＩ’に沿って切断した断面図である。図７は図６ＢのＡＡ領域を拡大して示した断面図である。以下、図６Ａ乃至図７を参照して、上記入力アイコンイメージＩＩＣＯＮが表示される原理に対して詳細に検討する。一方、説明を簡単にするため図６Ａ及び図６Ｂで上記ウインドー部材３００と上記表示部材１００は離隔されて図示されたが、これに制限されない。
【００７０】
図６Ａ示したように、上記表示部材１００は上記入力アイコンイメージＩＩＣＯＮを生成されない。したがって、上記カラー層３２０の第２部分３２０−Ｓは外部にイメージを表示しない。
【００７１】
上記カラー層３２０へ入射された外部光の内の一部は吸収され、一部は反射される。上記外部の光（例えば、自然光）の中の少ない量が上記カラー層３２０の上記第２部分３２０−Ｓを通過しても、外観上に上記カラー層３２０の第１部分３２０−Ｅと上記第２部分３２０−Ｓは区別されない。
【００７２】
図６Ｂ示したように、上記表示部材１００で生成された上記入力アイコンイメージＩＩＣＯＮは上記カラー層３２０の第２部分３２０−Ｓを通過する。上記入力アイコンイメージＩＩＣＯＮは上記カラー層３２０の第２部分３２０−Ｓを通過し、輝度が減少する。即ち、上記カラー層３２０の第２部分３２０−Ｓを透過した上記入力アイコンイメージＩＩＣＯＮの輝度は上記カラー層３２０の第２部分３２０−Ｓへ入射された上記入力アイコンイメージＩＩＣＯＮの輝度より低い。図７を参照してより詳細に説明する。
【００７３】
図７に示したように、上記カラー層３２０の第２部分３２０−Ｓは上記入力アイコンイメージＩＩＣＯＮを遮断する複数個の光遮断粒子ＰＴ１と上記入力アイコンイメージＩＩＣＯＮを透過させる複数個の光透過粒子ＰＴ２を含む。それ以外のも上記カラー層３２０の第２部分３２０−Ｓは界面活性剤、粘着剤等のような添加剤ＰＴ３をさらに包含できる。
【００７４】
上記複数個の光遮断粒子ＰＴ１は上記入力アイコンイメージＩＩＣＯＮを吸収する。例えば、上記複数個の光遮断粒子ＰＴ１はブラックカラーを有することができる。上記複数個の光透過粒子ＰＴ２は上記入力アイコンイメージＩＩＣＯＮを透過させる。例えば、上記複数個の光透過粒子ＰＴ２は透明であることができる。
【００７５】
上記カラー層３２０の第２部分３２０−Ｓへ入射された上記入力アイコンイメージＩＩＣＯＮの中の一部のみが上記カラー層３２０の第２部分３２０−Ｓを通過するので、上記入力アイコンイメージＩＩＣＯＮの輝度が減少される。
【００７６】
上記カラー層３２０の第１部分３２０−Ｅは上記ウインドー部材３００に向かって入射されるイメージを遮断し、上記ウインドー部材３００に向かって入射する外部の光を遮断する染料又は顔料を包含することができる。例えば、染料又は顔料はブラックカラーを有することができる。上記カラー層３２０の第１部分３２０−Ｅやはり界面活性剤、粘着剤等のような添加剤をさらに包含できる。
【００７７】
一方、本発明の他の実施形態で上記カラー層３２０の第１部分３２０−Ｅは上記カラー層３２０の第２部分３２０−Ｓと同一な物質からなされることもあり得る。この時、上記第１部分３２０−Ｅは上記表示部材１００に重畳しないように配置され得る。
【００７８】
また、上記第１部分３２０−Ｅが上記第２部分３２０−Ｓと同一な物質からなされても、上記第１部分３２０−Ｅを通過する上記外部の光量は非常に少ない。したがって、上記第１部分３２０−Ｅによってカバーされた構成は外面上で使用者に認識されない。
【００７９】
図８Ａは本発明の他の実施形態による表示装置が第１モードで動作する時に現れる平面図であり、図８Ｂは本発明の他の実施形態による表示装置が第２モードで動作する時に現れる平面図である。
【００８０】
本実施形態による表示装置は図１乃至図７を参照して説明した表示装置と上記カラー層３２０の形状のみが異なるだけであり、他の構成は同一である。したがって、図１乃至図７に図示された同一の構成要素に対しては同一の参照符号を付し、具体的な説明を省略する。
【００８１】
図８Ａ及び図８Ｂに示したように、ウインドー部材３００はベース部材３１０及びベース部材３１０の一面に配置されたカラー層３２０を含む。上記カラー層３２０は第１部分３２０−Ｅ１と第２部分３２０−Ｓ１とに区分される。
【００８２】
上記第１部分３２０−Ｅ１はベース部材３１０の枠領域の中の一部に配置される。上記第２部分３２０−Ｓ１は上記第１部分３２０−Ｅ１に連結され、ベース部材３１０の枠領域の中の残る一部に配置される。また、上記第２部分３２０−Ｓ１は上記表示部材１００に重畳する。
【００８３】
上記カラー層３２０の形状によって上記表示装置は１つの表示領域ＤＡ、１つのアイコン領域ＤＡＩＣＯＮ、及び上記表示領域ＤＡと上記アイコン領域ＤＡＩＣＯＮを囲む非表示領域ＮＤＡを具備する。
【００８４】
上記表示領域ＤＡで上記メインイメージＩＭと上記補助イメージＩＳを表示し、上記アイコン領域ＤＡＩＣＯＮで入力アイコンイメージＩＩＣＯＮを表示する。
【００８５】
図９Ａ乃至図９Ｅは本発明の一実施形態による表示装置の製造方法を示した断面図である。図９Ａ乃至図９Ｅを参照して本実施形態による表示装置の製造方法を説明する。
【００８６】
先ず、図９Ａに示したように、ベース部材３１０の一面上にカラー層３２０が形成されたウインドー部材３００を提供する。平面上で上記カラー層３２０の形状は例えば、図５Ａ及び図５Ｂ又は図８Ａ及び図８Ｂに図示されたことと同一である。
【００８７】
ベース部材３１０の一面上に上記カラー層３２０を印刷することによって、上記ウインドー部材３００を製造することができる。第１部分３２０−Ｅと第２部分３２０−Ｓとが同一の物質で成される場合、上記第１部分３２０−Ｅと上記第２部分３２０−Ｓとは区分無しで同時に印刷される。上記第１部分３２０−Ｅと上記第２部分３２０−Ｓとが他の物質で成される場合、上記第１部分３２０−Ｅと上記第２部分３２０−Ｓとの中でいずれか１つを先ず印刷することができる。
【００８８】
上記第２部分３２０−Ｓは光を遮断する複数個の光遮断粒子と上記光を透過させる複数個の光透過粒子を少なくとも含む。それ以外にも上記第２部分３２０−Ｓは界面活性剤、粘着剤等のような添加剤をさらに包含できる。
【００８９】
また、図９Ｂに示したように、タッチパネル１２０が具備された表示パネル１１０を提供する。上記表示パネル１１０の一面上に上記タッチパネル１２０を直接形成するか、或いは、完成されたタッチパネル１２０を上記表示パネル１１０の一面上に結合させる。
【００９０】
一方、図９Ａと図９Ｂを参照して説明した段階の前後関係は制限されない。即ち、ウインドー部材３００を製造することと同時に表示パネル１１０上にタッチパネル１２０を配置することができる。
【００９１】
次に、図９Ｃに示したように、光硬化性接着層ＡＬが上記カラー層３２０と上記タッチパネル１２０との間に配置されるように上記ベース部材３１０と上記表示パネル１１０とを結合させる。少なくとも上記カラー層３２０の上記第２部分３２０−Ｓは上記表示パネル１１０と重畳する。
【００９２】
上記カラー層３２０が具備された上記ベース部材３１０の一面上に光硬化性接着剤を塗布して光硬化性接着層ＡＬを形成した後、上記タッチパネル１２０が上記光硬化性接着層ＡＬに接触するように上記表示パネル１１０を上記ベース部材３１０に結合させることができる。
【００９３】
また、上記タッチパネル１２０の一面上に光硬化性接着剤を塗布して光硬化性接着層ＡＬを形成した後、上記カラー層３２０が上記光硬化性接着層ＡＬに接触するように上記ベース部材３１０を上記表示パネル１１０に結合させることができる。
【００９４】
次に、図９Ｄに示したように、上記ベース部材３１０上側から光（ＵＶ）を照射して上記光硬化性接着層ＡＬを硬化させる。上記光（ＵＶ）は紫外線であり得る。上記カラー層３２０の上記第２部分３２０−Ｓへ入射した光の内の一部は上記第２部分３２０−Ｓを通過する。
【００９５】
具体的に上記第２部分３２０−Ｓに含まれた複数個の光透過粒子を通じて透過される。したがって、上記第２部分３２０−Ｓに重畳する領域の上記光硬化性接着層ＡＬが未硬化となることを防止することができる。
【００９６】
上記第１部分３２０−Ｅも上記第２部分３２０−Ｓと同一な物質で構成され得る。上記第１部分３２０−Ｅに重畳する領域の上記光硬化性接着層ＡＬも上記第１部分３２０−Ｅに重畳しない領域と均一に硬化される。
【００９７】
以後、図９Ｅに示したように、上記表示部材１００が収納されるように上記ウインドー部材３００と収納部材２００とを結合させる。上記収納部材２００は上記回路基板２００−Ｐ、バッテリーのような電源供給部２００−Ｂをさらに収納することができる。
【００９８】
一方、本発明は記載された実施形態に限定されることでなく、本発明の思想及び範囲を逸脱しないで多様に修正及び変形ができることはこの技術分野で通常の知識を有する者には明確である。したがって、そのような変形形態又は修正例らは本発明の特許請求の範囲に属することである。
【符号の説明】
【００９９】
１０・・・制御部
２０・・・無線通信モジュール
２２・・・受信部
２４・・・送信部
３０・・・映像入力部
４０・・・音響入力部
５０・・・メモリ
６０・・・音響出力部
７０・・・外部インターフェイス
８０・・・放送受信モジュール
１００・・・表示部材
１１０・・・表示パネル
１２０・・・タッチパネル
２００・・・収納部材
２００−Ｂ・・・電源供給部
２００−Ｐ・・・回路基板
３００・・・ウインドー部材
３１０・・・ベース部材
３２０・・・カラー層
３２０−Ｅ、３２０−Ｅ１・・・第１部分
３２０−Ｓ、３２０−Ｓ１・・・第２部分
ＡＬ・・・光硬化性接着層
ＤＡ・・・表示領域
ＤＡ１・・・第１表示領域
ＤＡ２・・・第２表示領域
ＤＡＩＣＯＮ・・・アイコン領域
ＩＭ・・・メインイメージ
ＩＳ・・・補助イメージ
ＩＩＣＯＮ・・・入力アイコンイメージ
ＮＤＡ・・・非表示領域
ＰＴ１・・・光遮断粒子
ＰＴ２・・・光透過粒子
ＰＴ３・・・添加剤
【図１】
0005513657.tif 000002
【図２】
0005513657.tif 000003
【図３】
0005513657.tif 000004
【図４】
0005513657.tif 000005
【図５Ａ】
0005513657.tif 000006
【図５Ｂ】
0005513657.tif 000007
【図６Ａ】
0005513657.tif 000008
【図６Ｂ】
0005513657.tif 000009
【図７】
0005513657.tif 000010
【図８Ａ】
0005513657.tif 000011
【図８Ｂ】
0005513657.tif 000012
【図９Ａ】
0005513657.tif 000013
【図９Ｂ】
0005513657.tif 000014
【図９Ｃ】
0005513657.tif 000015
【図９Ｄ】
0005513657.tif 000016
【図９Ｅ】
0005513657.tif 000017